(57)【要約】      （修正有）【課題】体位変換機能とおむつ交換機能を備え、かつ、これらの動作を介護者一人で取扱い可能にした床ずれ防止のための体位変更補助装置を提供する。【解決手段】布又はプラスチックシート等の柔軟性のある資材により形成された補助具主体が、第１の補助具主体１０、第２の補助具主体２０、第３の補助具主体３０の３つの部材からなり、これらの補助具主体が連結帯２，３により連結されている。第１ないし第３の補助具主体１０，２０，３０の連結方向に平行する方向の両側部に、止め金具４を着脱自在に装着するための第１ないし第３の体位保持ベルト１１ａ，２１ａ，３１ａを設ける。第１ないし第３の補助具主体１０，２０，３０を就寝者の下に敷き、これらの補助具主体を各別に動作させることで就寝者の体位変更とおむつ交換が可能となる。【選択図】図２
0003136534.tif 000002
【実用新案登録請求の範囲】
【請求項１】
布又はプラスチックシート等の柔軟性のある資材により形成された補助具主体が、第１の補助具主体（１０）、第２の補助具主体（２０）、第３の補助具主体（３０）の３つの部材からなり、これらの補助具主体が連結帯（２，３）により連結されており、上記各補助具主体の連結方向に平行する方向の両側部に体位保持ベルト（１１，２１，３１）を設け、該体位保持ベルトに当該体位保持ベルトをベッドに固定するための係止部材（１２，２２，３２）を設け、上記第１ないし第３の補助具主体を就寝者の下に敷き、これらの補助具主体の体位保持ベルトを各別にベッドに固定して就寝者の体位変更とおむつ交換を行うことを特徴とする床ずれ防止のための体位変更補助装置。
【請求項２】
第１ないし第３の体位保持ベルト（１１，２１，３１）に設けた係止部材（１２，２２，３２）は、止め金具（４）を着脱自在に装着する環体であることを特徴とする請求項１に記載の床ずれ防止のための体位変更補助装置。
【請求項３】
第１ないし第３の体位保持ベルト（１１１，１２１，１３１）に設けた係止部材（１１２，１２２，１３２）は、当該体位保持ベルトを互いに接合する面ファスナーであることを特徴とする請求項１に記載の床ずれ防止のための体位変更補助装置。
【考案の詳細な説明】
【技術分野】
【０００１】
本考案は、床ずれ防止のための体位変更補助装置に関しており、さらに詳しくは、長期間寝たきりになっている人の体位を左右いずれかの向きに容易に変換できるとともに、おむつ交換機能を備えた体位変更補助装置に関している。
【背景技術】
【０００２】
本願考案者は、長期間寝たきりになっている人の体位を左右いずれかの向きに容易に変換できるようにした床ずれ防止のための体位変換補助具を開発し、実用新案登録第３１２９８１９号により提案した（特許文献１）。
【０００３】
特許文献１に記載の体位変換補助具は、図１（特許文献１、以下同じ）に示すように、布又はプラスチックシート等の柔軟性のある資材により形成された補助具主体１０の四隅部に体位保持ベルト１１ａ，１１ｂを突設し、当該各体位保持ベルトの先端に係止金具１６を設けたものである。使用時は、図２に示すように、補助具主体１０を展開した状態にしてベッド上に敷き、一方の体位保持ベルト１１ａに設けた係止金具１６をベッド枠体３に係合する。就寝者は補助具主体１０の上に就寝するので、就寝者が既にベッド上に就寝している時は、当該補助具主体１０を就寝者の下に差し込んでベッド上に敷く。ここで、就寝者の体位を変換する場合は、図３に示すように、自由状態になっている他方の体位保持ベルト１１ｂの係合金具１６をベッドの側部枠体５に係合する。この動作によって、就寝者は、補助具主体１０が直角方向に折り曲げられるのに伴って体位が仰向けから横向きに変換されることになる。
【０００４】
上記した体位変換補助具は、介護者が一人で就寝者の体位を容易に変換できるものであり、寝たきりになった就寝者の体位を適宜変換して床ずれを防止できるという点で優れたものであるが、寝たきりになった就寝者は、ベッド上で排泄している場合が多いので、介護用品としては、床ずれ防止機能を備えているだけでなく、おむつ交換ができる器具が求められている。
【０００５】
就寝者の床ずれは、病気療養などで長期間寝たきりになり、その結果として就寝中に寝返りをする力が乏しくなるか又は全く無くなってしまった場合に生ずるのであるから、寝たきりになってしまった人の多くは、おむつをして排泄を行っているのが現状である。床ずれ防止用品は、寝たきりになっている人にとって欠かせない器具であるが、床ずれ防止機能とおむつ交換機能を備えた器具は、介護者にとっても就寝者にとっても待ち望んでいるものの一つである。
【０００６】
【特許文献１】実用新案登録第３１２９８１９号公報
【考案の開示】
【考案が解決しようとする課題】
【０００７】
本考案の課題は、体位変換機能とおむつ交換機能を備え、かつ、これらの動作を一人で操作可能にした床ずれ防止のための体位変更補助装置を提供することである。
【課題を解決するための手段】
【０００８】
解決手段の第１は、布又はプラスチックシート等の柔軟性のある資材により形成された補助具主体が、第１の補助具主体、第２の補助具主体、第３の補助具主体の３つの部材からなり、これらの補助具主体が連結帯により連結されており、上記各補助具主体の連結方向に平行する方向の両側部に体位保持ベルトを設け、該体位保持ベルトに当該体位保持ベルトをベッドに固定するための係止部材を設け、上記第１ないし第３の補助具主体を就寝者の下に敷き、これらの補助具主体の体位保持ベルトを各別にベッドに固定して就寝者の体位変更とおむつ交換を行うことを特徴とするものである。
【０００９】
解決手段の第２は、解決手段の第１において、第１ないし第３の体位保持ベルトに設けた係止部材が、止め金具を着脱自在に装着する環体であることを特徴とするものである。
【００１０】
解決手段の第３は、解決手段の第１において、第１ないし第３の体位保持ベルトに設けた係止部材が、該体位保持ベルトを互いに接合する面ファスナーであることを特徴とするものである。
【考案の効果】
【００１１】
請求項１は、補助具主体が、第１の補助具主体、第２の補助具主体、第３の補助具主体の３つの部材からなり、これらの補助具主体が連結帯により連結されているから、使用に際して、第１の補助具主体に就寝者の背中を当接し、第２の補助具主体に臀部を当接し、第３の補助具主体に太股部を当接することにより、介護者一人で体位変更ができるだけでなく、これらの補助具主体をベッドに対して各別に固定することで就寝者の部位を各別に露出することができるので、第２の補助具主体の体位保持ベルトを外した場合は、臀部を露出することができ、これによりおむつ交換が介護者一人で出来ることになる。
【００１２】
請求項２は、第１ないし第３の体位保持ベルトに、止め金具を着脱自在に装着する係止部材たる環体を設けたものであるから、体位変更補助装置を就寝者の下に敷いてから止め金具を装着できるので、介護者一人での取扱が容易となるものである。
【００１３】
請求項３は、第１ないし第３の体位保持ベルトに、当該体位保持ベルトを互いに接合する係止部材たる面ファスナーを設けたものであるから、体位変更補助装置の使用に際し、
ベッドへの着脱が止め金具なしで行えるので、部品点数が減り取扱がよりいっそう容易となるものである。
【考案を実施するための最良の形態】
【００１４】
図１は本考案に係る体位変更補助装置の展開状態を示す斜視図、図２は体位変更補助装置をベッドに装着した状態を示す斜視図、図３は体位変更補助装置の使用状態を示す斜視図、図４はおむつ交換を行っている状態を示す斜視図、図５は他の実施形態による体位変更補助装置の展開状態を示す斜視図である。
【００１５】
図１において、体位変更補助装置１は、布又はプラスチックシートなどの柔軟性のある資材により形成されるものであり、第１の補助具主体１０、第２の補助具主体２０、第３の補助具主体３０からなり、これらの各部材が連結帯２，３によって連結されているものである。なお、上記体位変更補助装置１は、抗菌作用ないしは制菌作用を奏する資材を用いることで、寝たきり状態になっている就寝者の床ずれから生ずる各種感染症の発症を抑えることができる。
【００１６】
上記連結帯２，３は、互いに隣接する部材の中央部に設けられており、各補助具主体１０，２０，３０が独立して折り畳めるようになっている。なお、実施形態において、上記第１の補助具主体１０及び第２の補助具主体２０は、展開した平面形状が略同一の大きさに形成されているが、第３の補助具主体３０は、第１及び第２の補助具主体１０，２０における連結方向幅に対し、約２分の１幅の大きさに形成されている。
【００１７】
上記した第１，第２，第３の補助具主体１０，２０，３０の両側部には、各部材が連結された方向に対し直交する方向に突出する第１の体位保持ベルト１１、第２の体位保持ベルト２１、第３の体位保持ベルト３１が設けられている。また、これらの体位保持ベルト１１，２１，３１には、係止部材１２，２２，３２が設けられており、具体的には、係止部材１２，２２，３２が複数の環体により形成されている。なお、上記各係止部材１２，２２，３２としての環体は、止め金具４を装着するものである。また、止め金具４は通称Ｓ字環と称する金具であり、体位保持ベルト１１，２１，３１をベッドに固定するものである。
【００１８】
実施形態において、第１の補助具主体１０は主として就寝者の背中に当接でき、第２の補助具主体２０は主として臀部に当接できる大きさを有しており、また、第３の補助具主体３０は太股部分を当接する大きさを有している。実施形態の補助具主体が上記したように３つの部材から形成されているが、後に詳しく説明するように、本考案の装置は、介護者一人で就寝者の体位の変更及びおむつ交換ができるようになっている。
【００１９】
実施形態において、体位保持ベルト１１，２１，３１は、補助具主体１０，２０，３０の連結方向に向って両側部に設けられているので、対向するもの同士に「ａ」及び「ｂ」を付けて区別している。
【００２０】
図２を参照して、体位変更補助装置１をベッド５に固定する手順を説明する。ベッド５は脚部を図示していないが、ベッド枠体６にマット７が載置されており、また、該ベッド枠体６には就寝者の転落を防止するための側部柵体８が設けられている。ここで、上記ベッド枠体６は断面コ字型又はＬ字型に形成されていて、上記した止め金具４が係合できる構造が望ましく、また、側部柵体８はベッド枠体６に対して着脱自在に取り付けられていることが望ましい。
【００２１】
体位変更補助装置１は、全ての体位保持ベルト１１，２１，３１の係止部材（環体）１２，２２，３２のうち、最先端に形成されたものに止め金具４を装着してマット７上に敷く。この時、体位保持ベルト１１ａ，２１ａ，３１ａに装着した止め金具４をベッド枠体６に係合し、補助具主体１０，２０，３０を展開した状態にする（図２参照）。なお、ベッドに敷いた体位変更補助装置１は、第１の補助具主体１０に就寝者の背中が当接し、第２の補助具主体２０に臀部が当接し、また、第３の補助具主体３０に太股が当接するものであるから、既に就寝者がベッドに寝ている場合は、敷く方向には注意をすることが必要である。
【００２２】
体位変更補助装置１を敷いてから、その上に就寝者が寝ることになるが、通常はベッドに病人などの就寝者がいるので、予め就寝者がいる場合は、就寝者を横向きにしてから就寝者の下に体位変更補助装置１を敷くとよい。
【００２３】
次いで、図３を参照して就寝者の体位を変換する手順を説明する。ここで、図２は展開された体位変更補助装置１の上に就寝者が仰臥した状態で寝ているものとする。就寝者の体位を変換するには、最初に、介護者が自由状態になっている第１及び第２の体位保持ベルト１１ｂ，２１ｂを持って就寝者が横向きになるように引き起こす。これにより、第１及び第２の体位保持ベルト１１ｂ，２１ｂが、就寝者の背中及び臀部を仰向けから横向きに変更して就寝体位を変更する。
【００２４】
引き起こされた第１及び第２の体位保持ベルト１１ｂ，２１ｂに装着されている止め金具４を、側部柵体８に係合して就寝者の横向き姿勢を仮固定する。また、第３の体位保持ベルト３１ｂは、第１及び第２の体位保持ベルト１１ｂ，２１ｂを側部柵体８に係合した後に引き起こしてベッドに固定にする。第１ないし第３の体位保持ベルト１１ｂ，２１ｂ，３１ｂの係止部材１２，２２，３２を全て側部柵体８に係合し終われば、就寝者の横向き姿勢を固定することができる。
【００２５】
次に、図４を参照しておむつ交換をする手順を説明する。就寝者のおむつ交換をするには、就寝者を横向き姿勢に固定したまま、臀部を覆っている第２の補助具主体２０の体位保持ベルト２１ｂを側部柵体８から外して臀部を露出しておむつ交換を行う。ここで、ベッドの両側に側部柵体８が設けられている場合は、外した体位保持ベルト２１ｂをベッド７の反対側に設置されている側部柵体８ｂに係合することで、おむつ交換の時に第２の補助具主体２０が皺になるのを防止できる。ここでも、おむつ交換は介護者が一人で行うことができるようになっている。
【００２６】
図５は、第２の実施形態による体位変更補助装置１００を示している。近年は、強力な接着力を備えた面ファスナーが出現しており、例えば、株式会社セイホウ（栃木県足利市）は、人の体重に相当する程度の接着力を備えた面ファスナーを提供している。そこで、第１ないし第３の補助具主体１１０，１２０，１３０に設けた体位保持ベルト１１１，１２１，１３１に、係止部材１１２，１２２，１３２として上記株式会社セイホウ製の面ファスナーを設けることができる。
【００２７】
第２の実施形態による体位変更補助装置１００を使用する時は、例えば、ベッド枠体６に面ファスナーのうち雌型面（図示省略）を貼着しておき、ベッド５上に敷いた第１ないし第３の補助具主体１１０，１２０，１３０に設けた一方の体位保持ベルト１１１，１２１，１３１（図５の右上方）の係止部材１１２，１２２，１３２を上記面ファスナーの雌型面に接合し、自由状態になっている他方の体位保持ベルト１１１，１２１，１３１（図５の左下方）を引き起こして図示しない側部柵体に通した後、面ファスナー部分を互いに接合することにより、当該体位変更補助装置１００をベッドに固定することができる。なお、面ファスナーは、一方がベッド枠体に固定するものであるから、体位保持ベルトの両面に設けておくと装着が容易迅速となるものである。
【００２８】
上記したように、第２の実施形態による体位変更補助装置１００は、ベッドに固定する時にＳ字環などによる止め金具が不要であるから、ベッドに対する着脱が容易迅速に行えるものとなる。
【００２９】
また、第２の実施形態において、第１ないし第３の体位保持ベルト１１１，１２１，１３１に、係止部材１１２，１２２，１２２として面ファスナーを設けた場合であっても、介護者が一人で体位変更とおむつ交換ができることは勿論である。
【００３０】
本考案の体位変更補助装置は、就寝者の就寝体位の変更とおむつ交換が介護者一人で可能であるから、病気などで長期間寝たきりになっている就寝者の介護用品として最適なものである。
【図面の簡単な説明】
【００３１】
【図１】本考案に係る体位変更補助装置の展開状態を示す斜視図。
【図２】体位変更補助装置をベッドに装着した状態を示す斜視図。
【図３】体位変更補助装置の使用状態を示す斜視図。
【図４】おむつ交換を行っている状態を示す斜視図。
【図５】第２の実施形態による体位変更補助装置を示す斜視図。
【符号の説明】
【００３２】
１，１００  体位変更補助装置
２，３  連結帯
４  止め金具
５  ベッド
６  ベッド枠体
７  マット
８  側部柵体
１０，１１０  第１の補助具主体
１１，１１１  第１の体位保持ベルト
１２，１１２  係止部材
２０，１２０  第２の補助具主体
２１，１２１  第２の体位保持ベルト
２２，１２２  係止部材
３０，１３０  第３の補助具主体
３１，１３１  第３の体位保持ベルト
３２，１３２  係止部材
【図１】
0003136534.tif 000003
【図２】
0003136534.tif 000004
【図３】
0003136534.tif 000005
【図４】
0003136534.tif 000006
【図５】
0003136534.tif 000007